(57)【要約】【課題】本発明は、暖冷房機用風向調整装置に関し、特に暖冷房機の風向を自在に調整することで雰囲気温度と体感温度とを快適に調整できるようにした暖冷房機用風向調整装置を提供することにある。【解決手段】暖冷房機用風向調整装置１は、暖冷房機２の吹出口３に、風向調整板４が取付具５を介して、角度調整自在かつ前後位置及び上下位置を移動可能に取付けられている。　また、取付具５は、取付アーム６と取着具７と締結具８とからなり、２箇所で回動自在に連結されている。【効果】本発明によれば、暖冷房機の近傍の人も、暖冷房機から離れた人も、共に雰囲気温度と体感温度とを快適に調整でき、過度な暖房や冷房を可及的に阻止することができ、さらに体調不良等の健康阻害要因を除去し、暖冷房の不足を解消することで、使用電力が過度になるという不具合を解消できる効果がある。【選択図】　　　　　図１０
2004069277.tif 000002
【特許請求の範囲】
【請求項１】
暖房機、冷房機、空気調和機、その他の暖冷房機において、
暖冷房機の吹出口に風向調整板が、角度調整自在かつ前後位置及び上下位置を移動可能に取付具を介して取付けられている、
ことを特徴とする暖冷房機用風向調整装置。
【請求項２】
風向調整板は、
左右方向の幅が吹出口と略同幅の薄板からなり、後端が立設されると共に、前端が曲面状に立上形成された、
ことを特徴とする請求項１記載の暖冷房機用風向調整装置。
【請求項３】
風向調整板は、
上面の左右両端の全長に渡ってフランジが立設されると共に、
中間部には取付リブが立設されている、
ことを特徴とする請求項１または請求項２の何れかに記載の暖冷房機用風向調整装置。
【請求項４】
取付リブには、
取付基部が立上形成され、
取付基部の上端に取付具を取付るための取付穴が貫通形成され、
取付基部の上端両側には、取付穴に連通する中空円筒状の支軸が突設されている、ことを特徴とする請求項３記載の暖冷房機用風向調整装置。
【請求項５】
取付具は、
取付アームと取着具と締結具とからなる、
ことを特徴とする請求項１記載の暖冷房機用風向調整装置。
【請求項６】
締結具は、
外周に螺子が形成された螺子部を有する締結ボルトと、
該螺子部に螺合する螺子が内部に螺設された締結ナットと、
からなる、
ことを特徴とする請求項５記載の暖冷房機用風向調整装置。
【請求項７】
取付アームは、
風向調整板と取着具とに、夫々締結具を介して回動自在に連結されている、
ことを特徴とする請求項５記載の暖冷房機用風向調整装置。
【請求項８】
取付アームは、
本体が長尺板状に形成されると共に、
本体の上端には、締結ボルトの螺子部が挿通する取着穴が貫通形成され、
本体の下端には、取付リブの支軸に嵌合する嵌合穴が貫通形成されている、
ことを特徴とする請求項５または請求項７の何れかに記載の暖冷房機用風向調整装置。
【請求項９】
取付アームは、
本体の上端両側には、前記取着穴に連通する中空円筒状の支軸が突設され、
本体の下端には、断面コ字状に形成された挟持片が連設されている、
ことを特徴とする請求項５または請求項７〜請求項８の何れかに記載の暖冷房機用風向調整装置。
【請求項１０】
挟持片は、
下端部が略半円形に形成されると共に外周にラチェット歯が多数形成されたラチェットホイールに形成されている、
ことを特徴とする請求項９記載の暖冷房機用風向調整装置。
【請求項１１】
取着具は、
基部が平板状に形成されると共に、
基部には、取付アームの上端を挟持し得るように平行する２枚の板からなる取着辺が略直角に垂設され、
取着辺の下端部中央には取付アーム上端の支軸が嵌合する嵌合穴が穿設されている、
ことを特徴とする請求項５記載の暖冷房機用風向調整装置。
【請求項１２】
取着辺は、
下端部が略半円形に形成されると共に外周にラチェット歯が多数形成されたラチェットホイールに形成されている、
ことを特徴とする請求項１１記載の暖冷房機用風向調整装置。
【請求項１３】
取付アームの上端には、
空間部が支軸より内方側に形成されると共に、
空間部には、ラチェット歯に係合する先端が尖鋭に形成された平板状のラチェット板が上方に向けて突設されている、
ことを特徴とする請求項５または請求項７〜請求項９の何れかに記載の暖冷房機用風向調整装置。
【請求項１４】
風向調整板の取付基部は、
空間部が支軸より基板側に形成されると共に、
空間部には、ラチェット歯に係合する先端が尖鋭に形成された平板状のラチェット板が上方に向けて突設されている、
ことを特徴とする請求項４記載の暖冷房機用風向調整装置。
【発明の詳細な説明】
【０００１】
【発明の属する技術分野】
本発明は、暖冷房機用風向調整装置に関し、特に暖房機、冷房機、空気調和機、その他暖冷房機の風向を自在に調整することで雰囲気温度と体感温度とを快適に調整できるようにした暖冷房機用風向調整装置に関するものである。
【０００２】
【従来の技術】
従来、暖房機、冷房機、空気調和機、その他暖冷房機にあっては、吹出口から吹出す暖気や冷気等の吹出空気が、吹出口直下の人体に直接当たる為、直撃された人のみが暖まり過ぎ、または冷え過ぎて、健康を害する等の不都合を生ずることがあった。　また、吹出空気が直撃されない人は逆に暖冷房が不足して、空調の効果がないか、または空調が不足するという不具合があるという問題点があった。
【０００３】
この為、従来、上記吹出口に可動ルーバーを設けたものや、天井から風向板を設けたものが提案されたが、上記暖冷房機の近傍の人は過度に暖冷房される一方、暖冷房機から離れた人は暖冷房が不足するという不具合があるという問題点が依然として解消されなかった。　さらに、該暖冷房不足を解消する為に風量を上げたり、温度設定を変更すると、暖冷房機近傍の人の過度暖冷房が酷くなるばかりでなく、使用電力も過度になるという問題点があった。
【０００４】
【発明が解決しようとする課題】
このような従来技術の問題点に鑑み、本発明の主な目的は、
暖冷房機の風向を自在に調整することが出来るようにして、暖冷房機の近傍の人も、暖冷房機から離れた人も、共に雰囲気温度と体感温度とを快適に調整出来るようにし、さらに過度暖冷房を可及的に阻止することができるようにして、従来の不具合の解消を図り、使用勝手を飛躍的に向上させた暖冷房機用風向調整装置を提供することにある。
【０００５】
【課題を解決するための手段】
このような目的は、本発明によれば、
暖房機、冷房機、空気調和機、その他の暖冷房機において、
暖冷房機の吹出口に風向調整板が、角度調整自在かつ前後位置及び上下位置を移動可能に取付具を介して取付けられている、
ことを特徴とする暖冷房機用風向調整装置、
を提供することにより達成される。
【０００６】
【作用】
このように、本発明によれば、
暖冷房機の風向を自在に調整出来るようにすることで、使用勝手を飛躍的に向上させた暖冷房機用風向調整装置とすることにある。
【０００７】
すなわち、本発明によれば、
（１）暖冷房機の近傍の人も、暖冷房機から離れた人も、共に雰囲気温度と体感温度とを快適になるように調整することが出来る。
（２）暖冷房機の近傍の人も、風向を自在に調整することで、過度な暖房や冷房を可及的に阻止することができる。
（３）暖冷房機の風向を自在に調整することが出来るので、暖冷房機の近傍の人も、暖冷房の風の直撃を回避できるので、過度な暖房や冷房によって体調不良になる等の健康が害される不都合を阻止することができる。
（４）暖冷房機の風向を自在に調整することが出来るので、暖冷房機から離れた人であっても、暖冷房の不足や空調効果不足といった不具合を解消することができる。
（５）暖冷房機の風向を自在に調整することが出来るので、暖冷房の不足を解消することができ、使用電力が過度になるという不具合を解消できる。
【０００８】
【発明の実施の形態】
以下に添付の図面を参照して、本発明を特定の実施の形態について詳述する。
【０００９】
図１〜図７及び図１０は、本発明の実施の形態の第１例を示している。
【００１０】
本発明の実施の形態の第１例である暖冷房機用風向調整装置１は、
暖冷房機２の吹出口３に、風向調整板４が取付具５を介して、角度調整自在かつ前後位置及び上下位置を移動可能に取付けられている。
【００１１】
該風向調整板４は、左右方向の幅が吹出口３と略同幅の矩形薄板状の合成樹脂（プラスチック）からなり、後端が前後方向の長さの略１／５程度の高さになるように略直角に案内縁部４ａ１が立設されると共に、前端が前後方向の長さの略１／５程度の高さになるように曲面状に案内翼部４ａ２が立上形成されている本体４ａには、上面に左右両端の全長に渡ってフランジ４ｂが上記案内縁部４ａ１に連続して立設され、また左右方向の略中心箇所に補強リブ４ｃが立設され、さらに左右方向の１／４箇所（フランジ４ｂと補強リブ４ｃの略中心箇所）に取付リブ４ｄが立設されている。
【００１２】
さらに、該取付リブ４ｄには、上記取付具５を取付るための取付基部４ｅが平板状に立上形成されている。　該取付基部４ｅは、上部に取付穴４ｆが穿設されると共に、該取付穴４ｆに連通する中空円筒状の支軸４ｇが上部両側に突設されている。　また、取付基部４ｅには、支軸４ｇの下方に空間部４ｈが形成されている。
【００１３】
さらに、上記取付具５は、取付アーム６と取着具７と締結具８とからなる。
【００１４】
該締結具８は、略六角形に形成されたヘッド９ａと、ヘッド９ａに直立形成されると共に外周に螺子が形成された螺子部９ｂとからなる締結ボルト９、及び該締結ボルト９の螺子部９ｂに螺合する螺子１０ａが内部に螺設された締結ナット１０からなる。
【００１５】
該取付アーム６は、波状（略Ｓ字状）の長尺板状に形成された本体６ａの下端に断面コ字状に形成された挟持片６ｂが形成されると共に、該挟持片６ｂの端部中央に前記支軸４ｇが嵌合する嵌合孔６ｃが貫通形成され、一方本体６ａの上端中央に前記締結ボルト９の螺子部９ｂが挿通する取着穴６ｄが穿設されると共に、該取着穴６ｄに連通する中空円筒状の支軸６ｅが両側に突設されている。　さらに、本体６ａの上端中央は、支軸６ｅの下方に空間部６ｆが形成されている連結片６ｇに形成されている。
【００１６】
また、上記取着具７は、平板状に形成された基部７ａと、上記取付アーム６の上端（連結片６ｇ）を挟持し得るように平行する２枚の板が該基部７ａから略直角に垂設された取着辺７ｂとからなる。　該基部７ａは、取着辺７ｂが厚肉で反対側が薄肉のテーパ状に形成され、暖冷房機２と天井１１との間隙１２に挿入して挟持させ易いように形成されている。　また、上記取着辺７ｂは、端部中央に前記支軸６ｅが嵌合する嵌合孔７ｃが貫通形成されると共に、下端が略半円形の外周にラチェット歯７ｄが多数形成されたラチェットホイール７ｅに形成されている。
【００１７】
また、前記取付アーム６の上端に形成された空間部６ｆには、上記ラチェットホイール７ｅのラチェット歯７ｄに係合し得るように先端が尖鋭に形成された平板状のラチェット板６ｈが上方に向けて突設されている。
【００１８】
さらに、前記取付アーム６の下端に断面コの字状に形成された挟持片６ｂは、下端が略半円形の外周にラチェット歯６ｊが多数形成されたラチェットホイール６ｋに形成されている。
【００１９】
また、前記風向調整板４の取付基部４ｅに形成された空間部４ｈには、ラチェットホイール６ｋのラチェット歯６ｊに係合し得るように先端が尖鋭に形成された平板状のラチェット板４ｊが上方に向けて突設されている。
【００２０】
次に、本発明の使用方法を上記実施の形態の第１例の暖冷房機用風向調整装置１によって詳述する。
【００２１】
本発明の暖冷房機用風向調整装置１にあっては、
暖房機、冷房機、空気調和機、その他暖冷房機の風向を自在に調整することで雰囲気温度と体感温度とを快適に調整することができるものである。
【００２２】
すなわち、図１〜図１２に良く示されているように、
（１）　まず、上記風向調整板４は、暖冷房機２と天井１１との間に間隙１２がある場合には、暖冷房機２の吹出口３に風向調整板４が配設されるようにして、該間隙１２に上記取着具７の基部７ａを挿入して挟持させることで、取付具５を介して取付けることができる（図７と図１０）。
（２）　次に、暖冷房機２と天井１１間に間隙１２がない場合には、暖冷房機２の吹出口３に風向調整板４が配設されるようにして、取着具７の基部７ａを天井１１または暖冷房機２の外面に両面接着テープ１３を介して取着させることで、取付具５を介して取付ることができる（図８、図９、図１１、及び図１２）。
（３）　このように、ボルトやビスを使用することなく、既存の暖冷房機２の吹出口３に風向調整板４が配設されるようにして、取付具５を介して取付ることができるので、取付のための工事が不要となり、主婦や子供でも簡単にワンタッチで取付ることができる（図７〜図１２）。
【００２３】
次に、暖冷房機２の吹出口３に風向調整板４を配設するべく取付具５を介して取付ける際、風向調整板４の傾斜角度及び前後位置や上下位置を調整し、暖冷房風が快適になるよう暖冷房機の風向を自在に調整する方法について詳述する。
【００２４】
すなわち、図７〜図１２に良く示されているように、
（４）　まず、風向調整板４の傾斜角度を調整して、暖冷房機の風向の角度を調整する場合には、
取付具５を構成する取付アーム６の下端の挟持片６ｂと、風向調整板４の取付リブ４ｄに連設された取付基部４ｅと、を連結する締結具８を中心にして、本体４ａを回動することにより、風向調整板４の傾斜角度を調整して、吹出口３から吹出す暖冷房機の風向の角度を快適になるように調整することが出来る（図１０〜図１２のα１、α２、α３）。
（５）　次に、風向調整板４の前後位置または上下位置を調整して、暖冷房機の風向を自在に調整する場合には、
１）　取付具５を構成する取着具７の取着辺７ｂと、取付アーム６の上端の連
結片６ｇと、を連結する締結具８、
２）　または取付具５を構成する取付アーム６の下端の挟持片６ｂと、風向調整板４の取付リブ４ｄに連設された取付基部４ｅと、を連結する締結具８、の内、１）、２）の両者、または１）のみ、
の締結具８を中心にして回動することにより、
本体４ａの前後位置または上下位置を移動調整して、
吹出口３から吹出す暖冷房機の風の方向を快適になるように調整することが出来る（図１０〜図１２のβ１、β２、γ１、γ２）。
【００２５】
尚、本発明の暖冷房機用風向調整装置１は、上記実施の形態の第１例の形状や構成に限られることなく、異なる形状や構成、または該構成に追加することや、他の構成部材で置換することができるのは勿論である。
【００２６】
例えば、取着具７の基部７ａの形状は、上記実施の形態の第１例の形状であるテーパ状に形成したものに限られることなく、同一肉厚の平板状に形成されたものとすることが出来る如くである。
【００２７】
【発明の効果】
このように、本発明によれば、
暖冷房機の風向を自在に調整出来るようにすることで、使用勝手を飛躍的に向上させた暖冷房機用風向調整装置とすることができる効果がある。
【００２８】
すなわち、本発明によれば、
（１）暖冷房機の近傍の人も、暖冷房機から離れた人も、共に雰囲気温度と体感温度とが快適になるように風向を調整することが出来る利点がある。
（２）暖冷房機の近傍の人も、風向を快適になるように自在に調整することで、過度な暖房や冷房を可及的に阻止することができる利点がある。
（３）暖冷房機の風向を自在に調整することが出来るので、暖冷房機の近傍の人も、暖冷房の風の直撃を回避できるので、過度な暖房や冷房によって体調不良になる等の健康が害される不都合を阻止することができる利点がある。
（４）暖冷房機の風向を快適になるように自在に調整することが出来るので、暖冷房機から離れた人であっても、暖冷房の不足や空調効果不足といった不具合を解消することができる利点がある。
（５）暖冷房機の風向を快適になるように自在に調整することが出来るので、暖冷房の不足を解消することができ、これによって使用電力が過度になるという不具合を解消することができる利点がある。
（６）暖冷房機の風向を快適になるように自在に調整することが出来るので、従来の不具合の解消を図ることができ、使用勝手を飛躍的に向上させることができるという大なる効果がある。
【図面の簡単な説明】
【図１】本発明の暖冷房機用風向調整装置の実施の形態の第１例を示す斜視図である。
【図２】同要部断面正面図である。
【図３】同要部断面側面図である。
【図４】同平面図である。
【図５】同要部拡大正面断面図である。
【図６】同Ａ部拡大図である。
【図７】同取付状態を示す斜視図である。
【図８】同取付状態の異なる例を示す斜視図である。
【図９】同取付状態の異なる例を示す斜視図である。
【図１０】同風向調整板の傾斜角度及び前後位置または上下位置を調整した状態を示す要部断面側面図である。
【図１１】同異なる例の風向調整板の傾斜角度及び前後位置または上下位置を調整した状態を示す要部断面側面図である。
【図１２】同異なる例の風向調整板の傾斜角度及び前後位置または上下位置を調整した状態を示す要部断面側面図である。
【符号の説明】
１　　　暖冷房機用風向調整装置
２　　　暖冷房機
３　　　吹出口
４　　　風向調整板
４ａ　　本体
４ａ１　案内縁部
４ａ２　案内翼部
４ｂ　　フランジ
４ｃ　　補強リブ
４ｄ　　取付リブ
４ｅ　　取付基部
４ｆ　　取付穴
４ｇ　　支軸
４ｈ　　空間部
４ｊ　　ラチェット板
５　　　取付具
６　　　取付アーム
６ａ　　本体
６ｂ　　挟持片
６ｃ　　嵌合孔
６ｄ　　取着穴
６ｅ　　支軸
６ｆ　　空間部
６ｇ　　連結片
６ｈ　　ラチェット板
６ｊ　　ラチェット歯
６ｋ　　ラチェットホイール
７　　　取着具
７ａ　　基部
７ｂ　　取着辺
７ｃ　　嵌合孔
７ｄ　　ラチェット歯
７ｅ　　ラチェットホイール
８　　　締結具
９　　　締結ボルト
９ａ　　ヘッド
９ｂ　　螺子部
１０　　締結ナット
１０ａ　螺子
１１　　天井
１２　　間隙
１３　　両面接着テープ
α１、α２、α３　　風向調整板の傾斜角度の調整
β１、β２、γ１、γ２　　風向調整板の前後位置または上下位置の調整
【図１】
2004069277.tif 000003
【図２】
2004069277.tif 000004
【図３】
2004069277.tif 000005
【図４】
2004069277.tif 000006
【図５】
2004069277.tif 000007
【図６】
2004069277.tif 000008
【図７】
2004069277.tif 000009
【図８】
2004069277.tif 000010
【図９】
2004069277.tif 000011
【図１０】
2004069277.tif 000012
【図１１】
2004069277.tif 000013
【図１２】
2004069277.tif 000014